(57)【要約】【課題】塗布用具を容器から簡単に取り外せるようにし、取り外した塗布用具を、清拭或いは洗浄液等に浸けて洗うことができる液塗布用具を提供すること。【解決手段】容器と、容器口部に取着した塗布部材と、該塗布部材を覆い、容器口部に取着したオーバーキャップからなる液塗布用具であって、塗布部材は、注出筒と塗布具保持体および取付キャップからなり、それらが一体に結合されて、容器口部に着脱自在に取着されていることを特徴とする。【選択図】        図１
2004147775.tif 000002
【特許請求の範囲】
【請求項１】
容器と、容器口部に取着した塗布部材と、該塗布部材を覆い、容器口部に取着したオーバーキャップからなる液塗布用具であって、
塗布部材は、注出筒と塗布具保持体および取付キャップからなり、それらが一体に結合されて、容器口部に着脱自在に取着されていることを特徴とする液塗布用具。
【請求項２】
塗布具保持体が、刷毛を植設した保持部を具えていることを特徴とする請求項１記載の液塗布用具。
【請求項３】
塗布具保持体が、スポンジ状成形物で形成した塗布具を具えていることを特徴とする請求項１記載の液塗布用具。
【発明の詳細な説明】
【０００１】
【発明の属する技術分野】
本発明は、液塗布用具、とくに容器中の内容物を塗布するため、塗布用具を容器口部に取着した化粧料、薬品等の塗布用具に関する。
【０００２】
【従来の技術】
容器口部に、塗布用具として、複数の穴をあけたブラシを取着した染髪用のチューブブラシは従来より知られている（例えば、特許文献１参照。）。
また、薬品、医薬部外品、接着剤、日用品等の押出容器であって、容器に取着した塗布用具にオーバーキャップを被嵌するようにした容器も知られている（例えば、特許文献２参照。）。
【０００３】
【特許文献１】
実開平２−５０２２６号公報
【特許文献２】
特開２００２−２７６１号公報
【０００４】
【発明が解決しようとする課題】
上記従来技術は、いずれも使用途中において、塗布用具を容器から容易に取り外すことができないようになっている。
そのため、使用途中に、ブラシやヘラ、その他の塗布用具が汚れた場合に、ティッシュペーパー、布等で塗布用具の汚れを拭き取ったりすることはできるが、塗布用具を容器に取着したままであるので、きれいに拭き取ることができないという問題があった。
【０００５】
また、塗布用具に汚れとともに、人体、大気中から雑菌等が付着して繁殖することもあり、衛生面での問題が生じることがあった。
とくに、リップ用化粧料の塗布用具の場合には、雑菌等の影響により、唇を荒らすという問題があった。
さらにまた、粘性液や、固化しやすい液を長く使用していると、塗布用具に内容物が固化付着して塗布効率が悪くなるという問題があった。
そのときに、ティッシュペーパー、布等の拭き取りではきれいに拭き取ることができず、水や洗浄液を使って洗うこともできるが、容器内部に液が入り込むおそれがあるという問題があった。
【０００６】
本発明は、上記の問題を解決することを課題とし、塗布用具を容器から簡単に取り外せるようにし、取り外した塗布用具を、清拭或いは洗浄液等に浸けて洗うことができる液塗布用具を提供することを目的とする。
【０００７】
【課題を解決するための手段】
本発明は、上記の課題を解決するため、液塗布用具として、容器と、容器口部に取着した塗布部材と、該塗布部材を覆い、容器口部に取着したオーバーキャップからなる液塗布用具であって、塗布部材は、注出筒と塗布具保持体および取付キャップからなり、それらが一体に結合されて、容器口部に着脱自在に取着されていることを特徴とする構成を採用する。
【０００８】
塗布具保持体の実施態様として、塗布具保持体が、刷毛を植設した保持部を具えていることを特徴とする構成、または、塗布具保持体が、スポンジ状成形物、すなわち合成樹脂または合成ゴムで成形されたスポンジで形成した塗布具を具えていることを特徴とする構成を採用する。
【０００９】
【発明の実施の形態】
次に、本発明の実施形態について、図面を参照して説明する。
図１において、Ａは容器、Ｂは塗布部材、Ｃはオーバーキャップであり、容器Ａは、チューブ容器であって、口部１と押圧変形可能な胴部２とを具えており、容器Ａ内には、内容物として、リップクリーム、口紅、その他の化粧料、薬品等が収納される。
【００１０】
図２に示すように、口部１は、頂壁３と上部周壁４、該上部周壁４より拡径された下部周壁５とからなっており、頂壁３には開口６が穿孔され、上部周壁４の外周には左ねじ７、下部周壁５には右ねじ８が螺設されている。
【００１１】
塗布部材Ｂは、注出筒１０と刷毛保持体１１と、取付キャップ１２とからなっており、図３に示すように、注出筒１０は、注出孔１３を穿孔した円錐状の側周壁１４と、該側周壁１４の下部に突設された環状突条１５とからなっている。
側周壁１４の下端部は、容器Ａの口部開口３に一定の締め代をもって嵌着されるよう形成されており、環状突条１５の下面周縁には、段部１６が設けられている。
【００１２】
図４に示すように、刷毛保持体１１は、中央に注出筒１０を嵌挿する挿入孔１７を設けた刷毛保持部１８と、刷毛保持部１８の周縁に沿って垂設され、環状突条１５と係合する取付部１９とからなっている。
刷毛保持部１８には、複数の刷毛保持孔２０が穿孔され、該刷毛保持孔２０には、刷毛２１が植設されている。
なお、実施例では、刷毛の先端は水平となるように形成しているが、ドーム状、山型状等の形状となるように形成してもよい。
【００１３】
取付部１９の周面には、その内周下端に、環状突条１５の段部１６と係合する膨出部２２が等間隔をおいて設けられ、外周下端に、取付キャップ１２と係合する膨出部２３が等間隔をおいて設けられている。
また、膨出部２２，２３は、全周にわたって設けてもよい。
【００１４】
図５に示すように、取付キャップ１２は、上壁２５と側周壁２６を具えており、上壁２５には、刷毛２１を集束するため、下端を円形、上端を楕円形とし下端の開口面積よりせまくした刷毛束筒２７が内周縁に沿って立設されている。
なお、刷毛束筒としては、下端の開口面積を上端の開口面積よりも大きく構成したものであれば任意の形状を組み合わせて構成することもできる。
【００１５】
側周壁２６の内周には、刷毛保持体１１の支持面２８とねじ部２９とを具えており、支持面２８の下端部には、刷毛保持体１１の取付部１９の膨出部２３に係合する膨出部３０が設けられている。
ねじ部２９には、口部１上部周壁４の左ねじ７に螺合する左ねじ３１が螺設されている。
【００１６】
図６に示すように、塗布部材Ｂの組立は、まず、刷毛２１を植設した刷毛保持体１１を注出筒１０に嵌着する。
その際、挿入孔１７に注出筒１０の側周壁１４が挿入された刷毛保持部１８の下面は、環状突条１５の上面に載置され、取付部１９下端の膨出部２２が、環状突条１５の周面下端の段部１６に係合して、刷毛保持体１１と注出筒１０とがしっかりと結合される。
【００１７】
次に、取付キャップ１２を刷毛保持体１１に被せると、刷毛束筒２７が刷毛２１の軸線方向を規制して、刷毛２１上端をほぼ扁平な状態にする。
なお、先端面２１ａは、刷毛先の切りそろえ状態、刷毛束筒の形状に応じて、ドーム状やその他任意の形状とすることができる。
そしてまた、支持面２８下端の膨出部３０が、取付部１９の膨出部２２の下側に係合し、上壁２５下面と膨出部２２との間で、刷毛保持体１１がしっかりと挟持される。
【００１８】
図７に示すように、オーバーキャップＣは、頂壁４０と上部側周壁４１と、拡径された下部側周壁４２とからなり、上部側周壁４１の下端内周には、取付キャップ１２の上壁２５上面に係合する環状の突出部４３が形成され、下部側周壁４２の内周面下方には、口部１の下部周壁５の右ねじ８に螺合する右ねじ４４が螺設されている。
【００１９】
次に、本発明液塗布用具の作用効果について説明する。
本発明の液塗布用具は、容器Ａの口部１に塗布部材Ｂを取着し、次いで、オーバーキャップＣを、塗布部材Ｂを覆って口部１の下部周壁５に螺着し、容器Ａのチューブ内に内容物を入れ、胴部２下端をシールすることによって液塗布用具を得ることができる。
【００２０】
使用にあたって、オーバーキャップＣを取り外して塗布部材Ｂを露出させ、容器Ａを押圧すると、内容物が注出孔１３を通じて吐出され、刷毛２１に付着される。
刷毛束を所望する被塗布面に押しあて、刷毛面を動かしていくと、所望する塗布範囲に塗布することができる。
【００２１】
塗布部材を取り落として刷毛にごみ等が付着したり、使用中に異なる液が付着したりした場合に、塗布部材ＢをオーバーキャップＣとは反対に時計方向に回転させると、塗布部材Ｂを取り外すことができ、刷毛をティッシュペーパーで拭いたり、水洗いしたり、洗浄液に浸けて洗ったりして、刷毛に付着したごみや塵埃或いは無用な液を取ることができる。
その際、誤って容器を押圧して内容物を吐出することはない。
また、塗布部材の取り外しが容易であり、塗布部材の洗浄が容易に行えるため、塗布部材を常に清潔に保ち、雑菌等の繁殖等による衛生的な問題を防止できる。
【００２２】
次に、塗布部材の別実施例について説明する。
上記実施形態では、塗布部材として刷毛を用いたが、刷毛に代え、第８図に示すように、スポンジ等を用いることができる。
図８において、５０は塗布部材であって、５１は注出筒、５２は合成樹脂または合成ゴム等で成形されたスポンジ或いはフェルトから形成された塗布具、５３は塗布具５２を保持する取付キャップである。
【００２３】
注出筒５１と塗布具５２、塗布具５２を保持した取付キャップ５３とは一体に組立てられて塗布部材５０を形成しており、該塗布部材５０は、容器口部に着脱自在に取着されるので、前記実施形態と同様の作用効果を得ることができる。
【００２４】
上記実施形態では、取付キャップ、オーバーキャップをねじによって容器口部に螺着するようにしたが、いずれか一方、または双方を膨出環を用いて嵌着させるようにしてもよい。
また、実施形態では、上部外周に左ねじ、下部外周に右ねじを螺設したが、上部外周に右ねじ、下部外周に左ねじを螺設する構成とし、取付キャップ、オーバーキャップに対応するねじを螺設してもよい。
【００２５】
上記実施形態では、内容物として、リップクリーム、口紅、その他の化粧料、薬品等が容器内に収納され、化粧料、薬品等の塗布用具として用いられているが、その他に糊、接着剤、塗料、その他粘性液の塗布用具としても使用できる。
【００２６】
【発明の効果】
本発明は、上記のように構成されているから、次の効果を奏する。
塗布部材が、容器口部に着脱自在に取着されているから、塗布部材を容器から簡単に取り外して、清拭、洗浄ができるようになった。
【図面の簡単な説明】
【図１】本発明塗布容器の縦断面図である。
【図２】容器の口部の一部断面立面図である。
【図３】注出筒の一部断面立面図である。
【図４】刷毛保持体の説明図で、（ａ）は上面図、（ｂ）は一部断面立面図、（ｃ）は底面図である。
【図５】取付キャップの説明図で、（ａ）は上面図、（ｂ）は一部断面立面図である。
【図６】塗布部材の組立図である。
【図７】オーバーキャップの一部断面立面図である。
【図８】塗布部材の別実施例の説明図である。
【符号の説明】
Ａ    容器
Ｂ    塗布部材
Ｃ    オーバーキャップ
１    口部
２    胴部
３    頂壁
４    上部周壁
５    下部周壁
６    開口
７、３１    左ねじ
８、４４    右ねじ
１０、５１  注出筒
１１        刷毛保持体
１２、５３  取付キャップ
１３  注出孔
１４  側周壁
１５  環状突条
１６  段部
１７  挿入孔
１８  刷毛保持部
１９  取付部
２０  刷毛保持孔
２１  刷毛
２２、２３、３０  膨出部
２５  上壁
２６  側周壁
２７  刷毛束筒
２８  支持面
２９  ねじ部
４０  頂壁
４１  上部側周壁
４２  下部側周壁
４３  突出部
５０  塗布部材
５２  塗布具
【図１】
2004147775.tif 000003
【図２】
2004147775.tif 000004
【図３】
2004147775.tif 000005
【図４】
2004147775.tif 000006
【図５】
2004147775.tif 000007
【図６】
2004147775.tif 000008
【図７】
2004147775.tif 000009
【図８】
2004147775.tif 000010